(57)【要約】【課題】通常動作時の輝度ダイナミックレンジを狭めずに、光源をオーバードライブしたい。【解決手段】バックライト２０を駆動する光源駆動部４０は、パルス幅変調部４２および電流加算部４４を備える。パルス幅変調部４２は、バックライト２０に供給する電流をパルス幅変調して、バックライト２０の明るさを調整する。電流加算部４４は、バックライト２０がオーバードライブされるとき追加電流を生成し、その追加電流をパルス幅変調部４２から出力されるバックライト２０に供給する電流に加算する。【選択図】図１
2013205717.tif 000002
【特許請求の範囲】
【請求項１】
表示装置の光源に供給する電流をパルス幅変調して、前記光源の明るさを調整するパルス幅変調部と、
前記光源がオーバードライブされるとき追加電流を生成し、その追加電流を前記パルス幅変調部から出力される前記光源に供給する電流に加算する電流加算部と、
を備える光源駆動装置。
【請求項２】
前記表示装置の表示モードに応じて、前記電流加算部の有効または無効が設定されることを特徴とする請求項１に記載の光源駆動装置。
【請求項３】
前記表示装置の周囲温度に応じて、前記電流加算部により生成される追加電流の時定数が決定されることを特徴とする請求項１または２に記載の光源駆動装置。
【請求項４】
前記表示装置の周囲温度に応じて、前記電流加算部により生成される追加電流のピークが決定されることを特徴とする請求項１から３のいずれかに記載の光源駆動装置。
【請求項５】
前記表示装置は液晶表示装置であり、前記光源はバックライトであることを特徴とする請求項１から４のいずれかに記載の光源駆動装置。
【請求項６】
表示パネルと、
映像信号に応じて前記表示パネルを駆動する表示パネル駆動部と、
前記表示パネルの光源を駆動する請求項１から５のいずれかに記載の光源駆動装置と、
を備えることを特徴とする表示装置。
【請求項７】
請求項６に記載の表示装置と、
前記表示装置を制御する制御部と、
を備えることを特徴とする車載装置。
【請求項８】
前記制御部は、前記表示装置に車載カメラの映像を表示する際、前記電流加算部を有効化することを特徴とする請求項７に記載の車載装置。
【発明の詳細な説明】
【技術分野】
【０００１】
本発明は、表示装置の光源を駆動する光源駆動装置、表示装置、車載装置に関する。
【背景技術】
【０００２】
多くの電子機器で液晶ディスプレイが使用されている。液晶ディスプレイは有機ＥＬディスプレイおよびプラズマディスプレイと比較し応答時間が長く、残像およびボケが発生しやすい。その対策の一つに、フレーム毎にバックライトをオフまたは黒画像を挿入する手法がある。その際、液晶の応答速度に応じたデューティ比でバックライトをＰＷＭ(Pulse Width Modulation)制御する手法が提案されている（例えば、特許文献１参照）。バックライトのＰＷＭ制御は、映像シーンに合わせて明るさを調整する処理にも使用されている。
【０００３】
また液晶ディスプレイでは画素の明暗が急速に変化する場合、その変化に液晶分子が追従しきれない場合がある。その対策の一つにオーバードライブ法がある。オーバードライブ法では各画素信号の立ち上がり時の電圧をオーバーシュートさせ、立ち下がり時の電圧をアンダーシュートさせる。液晶分子の応答速度は印加電圧の２乗に反比例するため、立ち上がり時または立ち下がり時の電圧をオーバーシュートまたはアンダーシュートさせることにより液晶の応答時間を短縮できる。
【先行技術文献】
【特許文献】
【０００４】
【特許文献１】国際公開２０１１／００１７２６号
【発明の概要】
【発明が解決しようとする課題】
【０００５】
市販されている表示装置の中には、上述した映像信号のオーバードライブに同期して、バックライトにもオーバードライブを適用する制御を行っているものがある。しかしながら当該制御をＰＷＭ駆動されるバックライトに適用する場合、バックライトの輝度ダイナミックレンジにオーバードライブ分の冗長レンジを設定する必要がある。この場合、通常動作時に使用されるダイナミックレンジが狭くなり、コンストラスト比が低下してしまう。
【０００６】
本発明はこうした状況に鑑みなされたものであり、その目的は、通常動作時の輝度ダイナミックレンジを狭めずに光源のオーバードライブ機能を実現できる技術を提供することにある。
【課題を解決するための手段】
【０００７】
上記課題を解決するために、本発明のある態様の光源駆動装置は、表示装置の光源に供給する電流をパルス幅変調して、前記光源の明るさを調整するパルス幅変調部と、前記光源がオーバードライブされるとき追加電流を生成し、その追加電流を前記パルス幅変調部から出力される光源に供給する電流に加算する電流加算部と、を備える。
【０００８】
本発明の別の態様は表示装置である。この表示装置は、表示パネルと、映像信号に応じて前記表示パネルを駆動する表示パネル駆動部と、前記表示パネルの光源を駆動する上述の光源駆動装置と、を備える。
【０００９】
本発明のさらに別の態様は車載装置である。この車載装置は、上述の表示装置と、前記表示装置を制御する制御部と、を備える。
【発明の効果】
【００１０】
本発明によれば、通常動作時の輝度ダイナミックレンジを狭めずに光源のオーバードライブ機能を実現できる。
【図面の簡単な説明】
【００１１】
【図１】本発明の実施の形態に係る車載装置の構成を示す図である。
【図２】図２（ａ）−（ｂ）は、バックライトがオーバードライブされるときのバックライト電流を示す図である。
【図３】電流加算部の構成例を示す図である。
【図４】図４（ａ）−（ｂ）は、オーバードライブ用電流の時定数の調整例を示す図である。
【図５】図５（ａ）−（ｂ）は、オーバードライブ用電流のピーク値の調整例を示す図である。
【図６】図６（ａ）−（ｂ）は、表示モードに応じたバックライト電流の調整例を示す図である。
【発明を実施するための形態】
【００１２】
図１は、本発明の実施の形態に係る車載装置１０００の構成を示す図である。車載装置１０００は、表示装置１００、主制御部２００、操作部３００、記録部４００および通信部５００を備える。本実施の形態では車載装置１０００としてカーナビゲーション装置を想定する。なお車載装置１０００はカーナビゲーション装置に限定されるものではなく、表示装置１００を備える車載装置であればよい。例えばリヤビューモニタシステムおよびドライブレコーダも該当する。
【００１３】
表示装置１００は主制御部２００から供給される映像信号を表示する。本実施の形態では表示装置１００として液晶ディスプレイを想定する。主制御部２００は車載装置１０００全体を制御する。
【００１４】
操作部３００はユーザ操作を受け付け、受け付けたユーザ操作に対応する信号を主制御部２００に出力する。記録部４００はカーナビゲーションに必要な映像信号、音声信号、およびプログラムを保持する。記録部４００はハードディスクドライブ、光ディスクドライブ、メモリカードスロット等の少なくとも一つを備える。光ディスクドライブを備える場合、DVD、Blu-ray Disc（登録商標）等に格納されたパッケージコンテンツの視聴も可能となる。
【００１５】
通信部５００は、車載装置１０００とユーザが所持する携帯通信機器（例えば、スマートフォン）との通信を制御する。両者は、近距離無線通信（例えば、Bluetooth（登録商標））で信号を送受信する。
【００１６】
本実施の形態では車載装置１０００が搭載される車両に、車載カメラが設置されることを前提とする。以下、車載カメラとして、車両後方に設置されるリヤビューカメラを想定する。なお車載カメラはリヤビューカメラに限定されず、例えば前方と後方のそれぞれの左右にカメラを設置し、合計４台のカメラで構成されるアラウンドビューカメラであってもよい。車載カメラから取得される映像信号は主制御部２００に供給される。
【００１７】
なお図示しないが、車載装置１０００はテレビ放送受信アンテナおよび放送受信部を備えてもよい。この場合、放送受信部はテレビ放送受信アンテナを介してワンセグメント放送またはフルセグメント放送を受信し、各種信号処理を施した後、主制御部２００に出力する。
【００１８】
表示装置１００は、液晶パネル１０、バックライト２０、液晶駆動部３０、光源駆動部４０、映像信号加工部５０、表示制御部６０、映像信号処理部７０および温度センサ８０を備える。液晶パネル１０および液晶駆動部３０は、例えばアクティブマトリックス型で構成される。
【００１９】
映像信号処理部７０は主制御部２００から映像信号を受け付ける。映像信号処理部７０は当該映像信号を表示制御部６０に供給するとともに、当該映像信号を液晶パネル１０の仕様に則した映像信号に変換して映像信号加工部５０に供給する。
【００２０】
映像信号加工部５０は、映像信号処理部７０から入力される映像信号を表示制御部６０による制御にしたがい加工する。映像信号加工部５０は、加工した映像信号を液晶駆動部３０に出力する。なお表示制御部６０からの加工指示がない場合、映像信号加工部５０は、入力される映像信号をそのまま液晶駆動部３０に出力する。液晶駆動部３０は、映像信号加工部５０から入力される映像信号にもとづき液晶パネル１０を駆動する。
【００２１】
バックライト２０は液晶パネル１０の裏面に配置される光源である。バックライト２０にはＬＥＤ、冷陰極管などを採用できる。光源駆動部４０は、表示制御部６０による制御にしたがいバックライト２０を駆動する。
【００２２】
表示制御部６０は、映像信号処理部７０から供給される映像信号をもとに、液晶パネル１０に表示すべき映像の明るさを適応的に制御する。この制御を本明細書では液晶ＡＩ（Adaptive Brightness Intensifier）と呼ぶ。表示制御部６０は、入力される映像信号をもとに各映像シーンをリアルタイムに解析し、各映像シーンの明暗を自動判別する。
【００２３】
表示制御部６０は各映像シーンの明暗に応じて、液晶パネル１０に表示すべき映像の輝度およびコントラストを適応的に変化させるための制御信号を生成し、映像信号加工部５０に供給する。また表示制御部６０はシーンチェンジによる明暗の変化値が設定値より大きくなるとき、上述したオーバードライブを実行させるための制御信号を生成し、映像信号加工部５０に供給する。これにより液晶応答速度を速めることができる。
【００２４】
また表示制御部６０は各映像シーンの明暗に応じて、各映像の水平方向または垂直方向のエッジを強調するための制御信号を生成し、映像信号加工部５０に供給することもできる。さらに表示制御部６０は各映像シーンの明暗に応じて、各映像を色処理（例えば、彩度ゲイン制御）するための制御信号を生成し、映像信号加工部５０に供給することもできる。液晶駆動部３０は、それぞれの制御信号に応じて映像信号を加工する。これらの制御および加工には既存の一般的な技術を使用するため、それらの詳細な説明は省略する。
【００２５】
表示制御部６０は、映像信号を制御するとともにバックライト２０の明るさも制御する。即ち表示制御部６０は各映像シーンの明暗に応じて、バックライト２０の発光輝度を適応的に増減させるための制御信号を生成し、光源駆動部４０に供給する。光源駆動部４０は当該制御信号に応じてバックライト２０に供給する電流量を調整して、バックライト２０の発光輝度を調整する。これにより液晶パネル１０に表示される映像のコントラストを向上させることができる。
【００２６】
また表示制御部６０は、映像信号へのオーバードライブへの適用に同期して、バックライト２０にもオーバードライブを適用する。その場合もバックライト２０の発光輝度を調整するための制御信号を生成し、光源駆動部４０に供給する。
【００２７】
以下、光源駆動部４０についてより具体的に説明する。光源駆動部４０はパルス幅変調部４２および電流加算部４４を含む。パルス幅変調部４２は、バックライト２０に供給する電流（以下、バックライト電流という）をパルス幅変調してバックライト２０の発光輝度を調整する。具体的には表示制御部６０からバックライト２０の発光輝度に応じたデューティ比が設定され、パルス幅変調部４２は、そのデューティ比に応じたバックライト電流を出力する。
【００２８】
電流加算部４４は、パルス幅変調部４２から出力されるバックライト電流に追加すべき追加電流を生成する。追加電流は正電流の場合と負電流の場合がある。正電流の場合、追加電流はバックライト電流を持ち上げるための電流となり、負電流の場合、バックライト電流を引き抜くための電流となる。
【００２９】
バックライト２０がオーバードライブされるとき、電流加算部４４は追加電流を生成し、その追加電流をパルス幅変調部４２から出力されるバックライト電流に加算する。バックライト２０がオーバードライブされないとき、電流加算部４４は追加電流を生成しない。この場合、パルス幅変調部４２から出力されるバックライト電流がそのままバックライト２０に供給されることになる。
【００３０】
図２（ａ）−（ｂ）は、バックライト２０がオーバードライブされるときのバックライト電流を示す図である。図２（ａ）−（ｂ）において縦軸は電流量を示し、横軸は時間を示す。第１フレームＦ１は明るいシーンのフレームを示し、第２フレームＦ２は暗いシーンのフレームを示す。
【００３１】
液晶ＡＩでは各映像シーンの明暗に応じて、表示制御部６０は映像信号の調整およびバックライト２０の輝度調整を行う。その際、表示制御部６０はフレームの切り替わり時にバックライト２０のデューティ比を瞬間的にオーバーシュートまたはアンダーシュートさせるオーバードライブ動作を、光源駆動部４０に実行させる。
【００３２】
図２（ａ）は電流加算部４４が設けられない光源駆動部４０により生成されたバックライト電流を示す。バックライト２０をオーバードライブする場合、電流加算部４４が設けられない光源駆動部４０では、パルス幅変調部４２が輝度調整およびオーバードライブの両方を実行しなければならない。この場合、オーバードライブ用電流の冗長レンジを確保するため、通常動作時の輝度調整で使用するＰＷＭ制御のデューティ比レンジを狭くする必要がある。
【００３３】
バックライト２０をオーバードライブしない場合、輝度調整で使用するデューティ比レンジを、数％〜１００％の範囲に設定できる。例えば最も暗い映像の場合にデューティ比５％でバックライト２０を駆動し、最も明るい映像の場合にデューティ比１００％で駆動する。これに対しオーバードライブする場合、オーバードライブ時の電流増加分および電流減少分のレンジを確保する必要がある。したがって通常動作時の輝度調整で使用するデューティ比レンジを狭くする必要がある。
【００３４】
図２（ａ）に示す例では、当該デューティ比レンジを２０％〜８５％に設定している。即ち、明るいシーンの第１フレームＦ１ではデューティ比８５％でバックライト２０を駆動し、暗いシーンの第２フレームＦ２ではデューティ比２０％で駆動する。そして明るいシーンへの切り替わり時にデューティ比１００％でバックライト２０を駆動し、オーバードライブする。一方、暗いシーンへの切り替わり時にデューティ比５％で駆動し、オーバードライブする。このように電流加算部４４が設けられない光源駆動部４０では、通常動作時に輝度ダイナミックレンジをフルで使用できなくなる。
【００３５】
図２（ｂ）は電流加算部４４が設けられる光源駆動部４０により生成されるバックライト電流を示す。電流加算部４４が設けられる光源駆動部４０では、映像シーンに応じた輝度調整はパルス幅変調部４２で実行し、オーバードライブは電流加算部４４で実行できる。このようにパルス幅変調部４２および電流加算部４４で役割分担できる。したがってオーバードライブのための電流増加制御または電流減少制御を、ＰＷＭ制御と独立に実行できる。
【００３６】
図２（ｂ）に示す例では、通常動作時における上記デューティ比レンジを５％〜１００％に設定している。即ち、明るいシーンの第１フレームＦ１ではデューティ比１００％の電流をバックライト２０に供給し、暗いシーンの第２フレームＦ２ではデューティ比５％の電流を供給する。そして明るいシーンへの切り替わり時、パルス幅変調部４２がデューティ比１００％のバックライト電流を生成し、電流加算部４４がオーバードライブ用の正電流ａ１をバックライト電流に追加する。これによりバックライト２０をオーバードライブする。また暗いシーンへの切り替わり時、パルス幅変調部４２がデューティ比５％のバックライト電流を生成し、電流加算部４４がオーバードライブ用の負電流ａ２をバックライト電流に追加する。これによりバックライト２０をオーバードライブする。オーバードライブ時に、バックライト電流に電流加算部４４から電流を追加することにより、通常動作時に輝度ダイナミックレンジをフルで使用できる。
【００３７】
図３は、電流加算部４４の構成例を示す図である。図３に示す電流加算部４４は定電流源により構成されている。電流加算部４４は、オペアンプＯＰ１、トランジスタＭ１、第１抵抗Ｒ１、第２抵抗Ｒ２および第３抵抗Ｒ３を含む。オペアンプＯＰ１の非反転入力端子には、表示制御部６０から第１抵抗Ｒ１を介して制御電圧が入力され、反転入力端子には第２抵抗Ｒ２および第３抵抗Ｒ３により分圧された帰還電圧が入力される。
【００３８】
図３に示す例ではトランジスタＭ１としてＭＯＳＦＥＴ（Metal-Oxide-Semiconductor Field-Effect Transistor)を使用している。トランジスタＭ１のソース端子は第２抵抗Ｒ２に接続され、ゲート端子はオペアンプＯＰ１の出力端子に接続され、ドレイン端子はパルス幅変調部４２の出力端子に接続される。第２抵抗Ｒ２の一端はトランジスタＭ１のソース端子に接続され、他端は第３抵抗Ｒ３に接続される。第３抵抗Ｒ３の一端は第２抵抗Ｒ２に接続され、他端はグラウンドに接続される。
【００３９】
オペアンプＯＰ１は、非反転入力端子に印加される制御電圧と反転入力端子に印加される帰還電圧とを差動増幅し、トランジスタＭ１のゲート端子に印加する。トランジスタＭ１は、ゲート−ソース間電圧に応じたドレイン電流を生成する。パルス幅変調部４２の出力電流に当該ドレイン電流が加算されて、バックライト２０に供給される。
【００４０】
図１に戻る。温度センサ８０は液晶パネル１０およびバックライト２０の周囲温度を測定し、表示制御部６０に出力する。表示制御部６０は液晶パネル１０およびバックライト２０の周囲温度に応じて、電流加算部４４により生成されるオーバードライブ用電流の時定数を調整する。具体的には温度センサ８０により測定された温度が高いほど時定数を小さくし、低いほど時定数を大きくする。
【００４１】
表示制御部６０は時定数の調整を反映させた制御信号を電流加算部４４に供給する。電流加算部４４が図３に示す回路構成の場合、表示制御部６０は時定数の調整を反映させた制御電圧を第１抵抗Ｒ１を介してオペアンプＯＰ１の非反転入力端子に印加する。また図３に示す回路構成に可変容量または可変抵抗が設けられる場合、表示制御部６０がその可変容量または可変抵抗の容量値または抵抗値を調整することにより、時定数を調整できる。
【００４２】
表示制御部６０は液晶パネル１０およびバックライト２０の周囲温度に応じて、電流加算部４４により生成されるオーバードライブ用電流のピーク値を調整する。具体的には温度センサ８０により測定された温度が高いほどピーク値を小さくし、低いほどピーク値を大きくする。表示制御部６０はピーク値の調整を反映させた制御信号を電流加算部４４に供給する。
【００４３】
一般に液晶は高温なほど応答速度が速く、低温なほど応答速度が遅くなる性質がある。また車両内は屋内と比較し温度環境が厳しくなる傾向がある。例えば屋内に設置されるＴＶなどは−１０℃〜４０℃程度の温度環境を想定して製造されることが一般的であるが、ダッシュボードに設置されるカーナビゲーション装置などは−３０℃〜８０℃程度の温度環境を想定して製造されることが一般的である。例えば真夏の炎天下には、ダッシュボードの温度が８０℃に到達することもしばしば起きる。このような高温下ではバックライト２０内の光源（例えばＬＥＤ）に不具合が発生しやすくなる。
【００４４】
以上を鑑み表示制御部６０は、温度センサ８０により測定された温度に応じて、電流加算部４４により生成されるオーバードライブ用電流の時定数およびピーク値の少なくとも一方を調整する。
【００４５】
即ち、高温時にはバックライト２０の保護の観点から時定数およびピーク値の少なくとも一方を小さくして、バックライト２０の発熱を抑える。また高温時は液晶応答性が高いため、オーバードライブ時間が短くても液晶の追従性が低下しない。またオーバードライブ時間を短くすれば消費電力を低減できる。一方、低温時には液晶応答性が低くなるため、時定数およびピーク値の少なくとも一方を大きくして、液晶の追従性低下を抑制する。また低温時はバックライト２０の発熱の許容度が高まる。
【００４６】
図４（ａ）−（ｂ）は、オーバードライブ用電流の時定数の調整例を示す図である。図４（ａ）は高温時の時定数調整の一例を示す。図４（ａ）では明るいフレームに切り替わる際、その立ち上がり時に２〜８ｍｓのオーバードライブ期間を設定している。同様に暗いフレームに切り替わる際、その立ち下がり時に２〜８ｍｓのオーバードライブ期間を設定している。
【００４７】
図４（ｂ）は低温時の時定数調整の一例を示す。図４（ｂ）では明るいフレームに切り替わる際、その立ち上がり時に５〜１６ｍｓのオーバードライブ期間を設定している。同様に暗いフレームに切り替わる際、その立ち下がり時に５〜１６ｍｓのオーバードライブ期間を設定している。
【００４８】
図５（ａ）−（ｂ）は、オーバードライブ用電流のピーク値の調整例を示す図である。図５（ａ）は高温時のピーク値調整の一例を示し、図５（ｂ）は低温時のピーク値調整の一例を示す。図５（ａ）に示す明るいフレームに切り替わる際におけるその立ち上がり時のオーバードライブ電流のピーク値Ｐ１は、図５（ｂ）に示す明るいフレームに切り替わる際におけるその立ち上がり時のオーバードライブ電流のピーク値Ｐ２より高く設定されている。
【００４９】
このようにオーバードライブ用電流の時定数およびピーク値の少なくとも一方を調整することにより、バックライト２０を温度保護しつつオーバードライブすることができる。また液晶の追従性低下も抑制できる。
【００５０】
上述したように光源駆動部４０において、映像シーンに応じた輝度調整とオーバードライブは、パルス幅変調部４２と電流加算部４４とで役割分担されている。このようにＰＷＭ制御とオーバードライブ用電流の制御とが独立であるため、オーバードライブ用電流の時定数またはピーク値を容易に設定変更できる。
【００５１】
図１に戻る。表示制御部６０は、表示装置１００の表示モードに応じて電流加算部４４の有効または無効を設定する。表示モードは主制御部２００からモード切替信号により表示制御部６０に指示される。例えば、車載カメラにより撮影された映像を表示するカメラモードでは、表示制御部６０は電流加算部４４を有効に設定する。またＤＶＤもしくはハードディスク等の記録媒体に格納された映画コンテンツ、またはテレビ放送波から受信されるテレビコンテンツを表示するコンテンツ視聴モードでも、表示制御部６０は電流加算部４４を有効に設定する。メニュー画面を表示するメニューモードおよびナビゲーション画面を表示するナビゲーションモードでは、表示制御部６０は電流加算部４４を無効に設定する。
【００５２】
表示制御部６０は、車載カメラにより取得される映像信号に対して、比較的暗い場所でも障害物を認識できるよう輝度を大幅に向上させる。また表示制御部６０は、映画コンテンツおよびテレビコンテンツの映像信号から各フレームの明るさを検出し、フレーム単位でバックライト２０の輝度調整を行う。
【００５３】
図６（ａ）−（ｂ）は、表示モードに応じたバックライト電流の調整例を示す図である。図６（ａ）はカメラモードにおけるバックライト電流の調整例を示す図である。第１フレームＦ１は明るいフレームを示し、第２フレームＦ２は暗いフレームを示す。カメラモードでも、表示制御部６０は明るいフレームへの切り替わり時および暗いフレームへの切り替わり時に、電流加算部４４を有効化してオーバードライブを実行する。
【００５４】
車両後方が物陰に入る場合または物陰から出る場合、リアビューカメラにより撮影される映像の明るさが大きく変化する。このような場合でも、バックライト２０をオーバードライブすることにより、ユーザが映像内の障害物を視認しやすくなる。また図６（ａ）に示す例では、暗いフレームの輝度を向上させている。
【００５５】
図６（ｂ）はコンテンツ視聴モードにおけるバックライト電流の調整例を示す図である。第１フレームＦ１、第２フレームＦ２、第３フレームＦ３、第４フレームＦ４、第５フレームＦ５および第６フレームＦ６で、表示制御部６０はバックライト２０をそれぞれ異なる輝度に調整する。また表示制御部６０は各フレーム切り替わり時に、電流加算部４４を有効化してバックライト２０をオーバードライブする。このようにシーンに応じて輝度を調整し、各フレームの切り替わり時にオーバードライブすることにより、コントラストを向上させ、映像コンテンツの高画質視聴を可能としている。
【００５６】
以上説明したように本実施の形態によれば、光源駆動部４０内にパルス幅変調部４２および電流加算部４４を独立に設けることにより、ＰＷＭとオーバードライブを独立に制御できる。具体的には前者はパルス幅変調部４２が担い、後者は電流加算部４４が担う。これにより、パルス幅変調部４２によるＰＷＭ制御のデューティ比レンジを輝度調整にフルに使用でき、通常動作時にバックライト２０の輝度ダイナミックレンジをフルに活用できる。このように電流加算部４４を設けることにより通常動作時の輝度ダイナミックレンジを狭めることなく、オーバードライブを適用できる。
【００５７】
また電流加算部４４を設けることにより、オーバードライブ用電流の時定数またはピーク値を容易に設定変更できる。周囲温度に応じてその時定数およびピーク値の少なくとも一方を適応的に変化させることも容易に可能となる。
【００５８】
また電流加算部４４を設けることにより、ＰＷＭとオーバードライブを独立に制御できるため各表示モードにおいて最適な輝度を設定できる。パルス幅変調部４２のみを用いてカメラモードおよびコンテンツ視聴モードの両モードにおいて、それぞれ最適な輝度を設定することは困難であるが、パルス幅変調部４２および電流加算部４４を用いることによりそれを容易に実現できる。またコンテンツ視聴モードでは３種類以上の輝度レベルを用いた多階調の輝度調整が行われる。本実施の形態では輝度ダイナミックレンジをＰＷＭ制御にフルに活用できるため、オーバードライブを併用しても各階調間の幅を狭める必要がない。したがって階調間のコントラストも維持される。
【００５９】
以上、本発明をいくつかの実施の形態をもとに説明した。これらの実施の形態は例示であり、それらの各構成要素や各処理プロセスの組合せにいろいろな変形例が可能なこと、またそうした変形例も本発明の範囲にあることは当業者に理解されるところである。
【００６０】
上述の実施の形態では表示装置１００として液晶ディスプレイを例に説明したが、表示装置１００は有機ＥＬディスプレイまたはプラズマディスプレイなど、自発光のディスプレイであってもよい。この場合、光源駆動部４０により生成される電流は、それぞれ自発行素子としての有機化合物または蛍光体に供給される。
【符号の説明】
【００６１】
１０００  車載装置、  １００  表示装置、  １０  液晶パネル、  ２０  バックライト、  ３０  液晶駆動部、  ４０  光源駆動部、  ４２  パルス幅変調部、  ４４  電流加算部、  Ｒ１  第１抵抗、  Ｒ２  第２抵抗、  Ｒ３  第３抵抗、  ＯＰ１  オペアンプ、  Ｍ１  トランジスタ、  ５０  映像信号加工部、  ６０  表示制御部、  ７０  映像信号処理部、  ８０  温度センサ、  ２００  主制御部、  ３００  操作部、  ４００  記録部、  ５００  通信部。
【図１】
2013205717.tif 000003
【図２】
2013205717.tif 000004
【図３】
2013205717.tif 000005
【図４】
2013205717.tif 000006
【図５】
2013205717.tif 000007
【図６】
2013205717.tif 000008